(57)【要約】【課題】  従来の接続具にあっては、電線の抜き差し毎にカバーの取外しを行わなければならないので、電線の抜き差しが面倒であるといった問題があると共に錠ばね６は板ばねであることから、電線の抜き差しの繰り返しや長期間の使用によってバネ力が弱くなって接触不良が発生するといった問題があった。【解決手段】  ケース１に対してカバー４を一体化し、ケース内にコイルスプリング２と操作体３を収納し、かつ、操作体をケースから突出させ、この突出した操作体をコイルスプリングのバネ力に抗して変移することでリード線をケースとカバーとの間に挿入して操作体から手を離すことでコイルスプリングのバネ力で操作体３の肩部３３ａとカバーとの間で挟持するようにした印刷配線基板にリード線を接続するための接続具である。【選択図】        図１
2011076831.tif 000002
【特許請求の範囲】
【請求項１】
Ｕ字状に形成された一対の起立片の一方にはケーブルの芯線を挿入するための挿入用切欠部が形成され、該挿入用切欠部が形成された側の底面部の折曲部中央に孔が形成された導電性金属のケースと、
該ケース内の底面に挿入されたコイルスプリングと、
前記ケースの前記孔に係合される突起部、該突起部から前記ケースの起立片に沿って延長され、かつ、前記コイルスプリングの一端が当接する垂直部、該垂直部から斜め方向に延長された肩部を有する傾斜部、該傾斜部から垂直方向に延長された操作部とから形成された導電性金属の操作体と、
Ｕ字状に形成され前記ケースの開口部側に被せた状態で固定する固定手段、前記操作体の前記操作部を導出するための開口部、天面部の両側から垂下され前記ケースの底面部から突出する端子片とから形成された導電性金属のカバーと、
から構成したことを特徴とする印刷配線基板にリード線を接続するための接続具。
【請求項２】
前記ケースに対してカバーを固定する固定手段が、前記ケースの相対向する面に形成されている傾斜面に、前記カバーの相対向する面に形成されている爪片を折曲して固定すると共に前記ケースの底面に係合用切欠部を形成し、かつ、前記カバーの端子片を折曲して前記係合用切欠部に係合して固定したことを特徴とする請求項１記載の印刷配線基板にリード線を接続するための接続具。
【請求項３】
前記カバーにおける天面部のリード線が挿入される奥側に外側に向かって膨らむ隆起部を形成し、リード線を前記操作体の肩部とケースの起立部とで挟持した状態においてリード線の先端部分を収容するようにしたことを特徴とする請求項１記載の印刷配線基板にリード線を接続するための接続具。
【発明の詳細な説明】
【技術分野】
【０００１】
本発明は、印刷配線基板の導電パターンに対して半田付けして固定した接続具に対して、電源線や信号線であるリード線を容易に接続あるいは離脱することができるようにした印刷配線基板にリード線を接続するための接続具に関する。
【背景技術】
【０００２】
印刷配線基板に接続具を取付け、該接続具にリード線を取付けることでリード線を印刷配線基板の導電パターンに接続するものとして、例えば、特開昭５４−１５５４８８号公報に開示されている発明がある。この発明は、本体１０に栓刃１、端子板２、錠ばね６を内蔵し、栓刃１に形成したダボを端子板２の穴とによって一体化し、かつ、錠ばね６を端子板２内に挿入する。
【０００３】
さらに、端子板２の電極接触面３に釦７を摺動自在に取付け、該釦７を摺動することで錠ばね６を変形させて錠ばね６と電極接触面３との間に隙間を開け、この状態において本体１０に形成されている電線挿入用切欠１１から電線を挿入した状態で釦７から手を離すことで錠ばね６の復元力によって電線は錠ばね６と電極接触面３の裏面側との間で挟持されるものである。
【０００４】
また、前記本体１０の開口部にはカバー１３が取付けられており、電線を挟持するために前記釦７を操作するにはカバー１３を本体１０から取り除き前記した操作を行い、電線が錠ばね６と電極接触面３の裏面側との間で挟持した後にカバー１３を本体１０に被せるものであった。
【先行技術文献】
【特許文献】
【０００５】
【特許文献１】特開昭５４−１５５４８８号公報
【発明の概要】
【発明が解決しようとする課題】
【０００６】
前記した選考技術文献の発明にあっては、電線の抜き差し毎にカバーの取外しを行わなければならないので、電線の抜き差しが面倒であるといった問題があると共に錠ばね６は板ばねであることから、電線の抜き差しの繰り返しや長期間の使用によってバネ力が弱くなって接触不良が発生するといった問題があった。
【０００７】
本発明は前記した問題点を解決せんとするもので、その目的とするところは、ケースに対してカバーを一体化し、ケース内にコイルスプリングと操作体を収納し、かつ、操作体をケースから突出させてリード線の抜き差しが行えるようにしたので、リード線の抜き差し時に従来のようにカバーを取り外す必要がなく行えるので抜き差しを簡単に行うことができ、また、４部品から構成されているので部品点数が少なく組立が簡単であると共にコストの低減を図ることができ、また、リード線の挟持力をコイルスプリングのバネ力で行うことから、リード線の繰り返し抜き差しや長期間の使用によってもバネ力が変化することがなく、従って、リード線の挟持状態を長期間にわたって確実に行え接触不良が発生することがない印刷配線基板にリード線を接続するための接続具を提供せんとするにある。
【課題を解決するための手段】
【０００８】
本発明の印刷配線基板にリード線を接続するための接続具は前記した目的を達成せんとするもので、請求項１の手段は、Ｕ字状に形成された一対の起立片の一方にはケーブルの芯線を挿入するための挿入用切欠部が形成され、該挿入用切欠部が形成された側の底面部の折曲部中央に孔が形成された導電性金属のケースと、該ケース内の底面に挿入されたコイルスプリングと、前記ケースの前記孔に係合される突起部、該突起部から前記ケースの起立片に沿って延長され、かつ、前記コイルスプリングの一端が当接する垂直部、該垂直部から斜め方向に延長された肩部を有する傾斜部、該傾斜部から垂直方向に延長された操作部とから形成された導電性金属の操作体と、Ｕ字状に形成され前記ケースの開口部側に被せた状態で固定する固定手段、前記操作体の前記操作部を導出するための開口部、天面部の両側から垂下され前期ケースの底面部から突出する端子片とから形成された導電性金属のカバーとから構成したことを特徴とする。
【０００９】
請求項２の手段は、前記した請求項１において、前記ケースに対してカバーを固定する固定手段が、前記ケースの相対向する面に形成されている傾斜面に、前記カバーの相対向する面に形成されている爪片を折曲して固定すると共に前記ケースの底面に係合用切欠部を形成し、かつ、前記カバーの端子片を折曲して前記係合用切欠部に係合して固定したことを特徴とする。
【００１０】
請求項３の手段は、前記した請求項１において、前記カバーにおける天面部のリード線が挿入される奥側に外側に向かって膨らむ隆起部を形成し、リード線を前記操作体の肩部とケースの起立部とで挟持した状態においてリード線の先端部分を収容するようにしたことを特徴とする。
【発明の効果】
【００１１】
本発明は前記したように、ケースに対してカバーを一体化し、ケース内にコイルスプリングと操作体を収納し、かつ、操作体をケースから突出させ、この突出した操作体をコイルスプリングのバネ力に抗して変移することでリード線をケースとカバーとの間に挿入して操作体から手を離すことでコイルスプリングのバネ力で操作体の肩部とカバーとの間で挟持するようにしたので、リード線の抜き差し操作が非常に簡単であると共にリード線の繰り返し抜き差しや長期間の使用によってもコイルスプリングであることからバネ力が変化することがなく、従って、リード線の挟持状態を長期間にわたって確実に行え接触不良が発生することがなく、また、部品点数が少なく構造が簡単であることから組立が簡単であると共にコストの低減を図ることができる。
【００１２】
また、ケースの相対向する面に形成されている傾斜面に、カバーの相対向する面に形成されている爪片を折曲してケースとカバーとを固定し、また、ケースの底面に係合用切欠部にカバーの端子片を折曲して係合してケースとカバーとを固定することで、２つの固定手段によって固定されるのでケースとカバーを確実にガタなく一体化することが可能である。
【００１３】
さらに、カバーにおける天板のリード線が挿入される奥側に外側に向かって膨らむ凹部を形成し、リード線を前記操作体の肩部とケースの天板部とで挟持した状態においてリード線の芯線が凹部に入り込み多芯線とカバーの内面との接触面積が大きくなって接触抵抗を小さくできる等の効果を有するものである。
【図面の簡単な説明】
【００１４】
【図１】本発明の印刷配線基板にリード線を接続するための接続具の実施例を示す分解斜視図である。
【図２】組立てた状態の側面図である。
【図３】図２のＡ−Ａ線断面図である。
【図４】本発明の接続具を印刷配線基板に半田付け固定しリード線を挿入する前の斜視図である。
【図５】（ａ）は操作体をコイルスプリングのバネ力に抗して変移しリード線の芯線を挿入した状態の断面図、（ｂ）は芯線を挟持した状態の断面図である。
【発明を実施するための形態】
【００１５】
以下、本発明に係る印刷配線基板にリード線を接続するための接続具の実施例を図面と共に説明する。
１は導電性金属をＵ状に折曲して形成したケースにして、底面部１１の中央左右には後述するカバー４の端子片４２ｂが係合される係合用切欠部１１ａが形成され、また、底面部１１の前後に形成された起立片１２，１３における一方の折曲部１２には後述する操作体３の突起部３１が係合される孔１２ａが形成され、さらに、ケーブルの芯線を挿入するための挿入切欠部１２ｂが形成され、また、前記起立片１２，１３における側面部両側には前記カバー４における爪片４２ａを折り曲げることで係止される傾斜面１２ｃ，１３ａが形成されている。
【００１６】
２は前記ケース１の底面部１１に載置されるコイルスプリングにして、一端が起立片１３の内壁面に当接し、他端がケース１にセットされた操作体３に当接する。
【００１７】
３は操作体にして、前記ケース１の孔１２ａに係合される突起部３１と、該突起部３１から前記ケース１の起立片１２に沿って延長され、かつ、前記コイルスプリング２の一端が当接する垂直部３２と、該垂直部３２から斜め方向に延長された肩部３３ａを有する傾斜部３３と、該傾斜部３３から垂直方向に延長された操作部３４とから形成されている。
【００１８】
４は導電性金属をＵ状に折曲して形成したカバーにして、天面部４１には前記ケース１にセットした状態の前記操作体３における操作部３４が突出する開口部４１ａと外側に向かって膨らむ隆起部４１ｂが形成され、また、前記天面部４１の両側から垂下した垂下片４２が形成され、ケース１に被せた状態で内側に向かって折り曲げることで前記ケース１の傾斜面１２ｃ，１３ａと係合される爪片４２ａが形成されている。さらに、垂下片４２の略中央下部からＬ字状に折曲され前記ケース１の底面部１１に形成した係合用切欠部１１ａに係合される端子片４２ｂが形成されている。
【００１９】
このように構成したケース１、コイルスプリング２、操作体３およびカバー４を組み立てるには、先ず、ケース１の孔１２ａに操作体３の突起部３１を嵌め込み、次いで、コイルスプリング２を操作体３の垂直部３２とケース１の起立片１３との間に配置する。次に、カバー４をケース１に被せるようにして端子片４２ｂの折曲部分がケース１の係合用切欠部１１ａにおける裏面側に位置するように嵌め込む。
【００２０】
次に、爪片４２ａを内側に折り込むことで、該爪片４２ａはケース１の傾斜面１２ｃ，１３ａに沿った状態となるので、爪片４２ａの上端が傾斜面１２ｃ，１３ａの上端水平面に当接する。従って、ケース１に対してカバー４は、端子片４２ｂと係合用切欠部１１ａとの係合と、爪片４２ａと傾斜面１２ｃ，１３ａの上端水平面との係合の２ヵ所によって固定されるので、ケース１とカバー４とは確実にロック状態となって分離することがなくなる。
【００２１】
そして、このようにして組み立てた本発明の接続具を印刷配線基板５におけるスルーホール５１に端子片４２ｃを差し込み、印刷配線基板５の裏面に形成されている導電パターン（図示せず）に半田付け固定する。
【００２２】
この状態においてリード線６の芯線６ａを取り付けるには、操作体３が通常時はコイルスプリング２のバネ力によって図２に示すようにケース１における挿入用切欠部１２ｂの奥側が操作体３の傾斜部３３によって塞がれた状態となっているので、操作部３４をコイルスプリング２のバネ力に抗して図５（ａ）の如く右方向に移動することで、挿入用切欠部１２ｂの奥側が開放されるので、リード線６の芯線６１の挿入が可能となる。
【００２３】
そして、ケーブル６の芯線６１を挿入用切欠部１２ｂから最奥部まで挿入すると、この状態において芯線６１の下側に操作体３の傾斜部３３における肩部３３ａが位置した状態となる。この状態において、操作部３４から手を離すと図５（ｂ）の実線で示すようにコイルスプリング２のバネ力によって操作体３は初期位置方向に戻されて芯線６１は肩部３３ａとカバー４における隆起部４１ｂの裏面との間で挟持され固定状態となる。
【００２４】
この固定状態にあっては、リード線６の芯線６１が隆起部４１ｂに入り込み芯線とカバーの内面との接触面積が大きいので、芯線は多面積で隆起部４１ｂと接触した状態となるので接触抵抗は小さくなって信号の減衰や電圧低下を防止することができる。
【００２５】
なお、何らかの理由でリード線６を外す場合には、図５（ｂ）の実線で示す芯線の挟持状態から２点鎖線で示す位置までコイルスプリング２のバネ力に抗して戻すことで抜き取ることができる。
【符号の説明】
【００２６】
１              ケース
１１            底面部
１１ａ          係合用切欠部
１２，１３      起立片
１２ａ          孔
１２ｂ          挿入用切欠部
１２ｃ，１３ａ  傾斜面
２              コイルスプリング
３              操作体
３１            突起部
３２            垂直部
３３            傾斜部
３３ａ          肩部
３４            操作部
４              カバー
４１            天面部
４１ａ          開口部
４１ｂ          隆起部
４２            垂下片
４２ａ          爪片
４２ｂ          端子片
【図１】
2011076831.tif 000003
【図２】
2011076831.tif 000004
【図３】
2011076831.tif 000005
【図４】
2011076831.tif 000006
【図５】
2011076831.tif 000007